(57)【要約】      （修正有）【課題】吊下げ時に下向きに傾き難く、さらに、商品に異物が付着することを防止できるブリスター容器を提供することである。【解決手段】凸部６が突設され且つ凸部の上方に第１吊下げ用孔９１が形成されたカバー部材４と、凸部に対応する開口４２側を閉塞し、且つ第１吊下げ用孔に対して空隙部Ｘを有して向かい合う第２吊下げ用孔９２が形成された閉塞シート５と、を有し、凸部の内側と閉塞シートの間に、空隙部と、空隙部に連設された商品収納空間部Ｙとが形成されており、カバー部材の凸部の内側に、空隙部と商品収納空間部を仕切る仕切部材７が装着されている。【選択図】図４
2010265018.tif 000002
【特許請求の範囲】
【請求項１】
凸部が突設され且つ前記凸部の上方に第１吊下げ用孔が形成されたカバー部材と、前記凸部に対応する開口側を閉塞し、且つ前記第１吊下げ用孔に対して空隙部を有して向かい合う第２吊下げ用孔が形成された閉塞シートと、を有し、
前記凸部の内側と閉塞シートの間に、前記空隙部と、前記空隙部に連設された商品収納空間部とが形成されたブリスター容器において、
前記カバー部材の凸部の内側に、前記空隙部と前記商品収納空間部を仕切る仕切部材が装着されていることを特徴とするブリスター容器。
【請求項２】
前記仕切部材が、前記商品収納空間部と前記空隙部を仕切る仕切壁と、前記仕切壁の端部に設けられた側壁と、を有し、前記側壁が前記凸部の内面に密着するように、前記仕切部材が前記カバー部材の凸部の内側に嵌め入れられている請求項１に記載のブリスター容器。
【請求項３】
前記仕切部材が、カバー部材の縁部から一体的に延設されている請求項１又は２に記載のブリスター容器。
【発明の詳細な説明】
【技術分野】
【０００１】
本発明は、吊り下げて陳列されるブリスター容器に関する。
【背景技術】
【０００２】
従来、化粧品などの各種商品を包装する容器として、ブリスター容器が知られている。
ブリスター容器は、一般に、合成樹脂製透明シートの成形品からなり、且つ商品を収納する凸部が形成されたカバー部材と、前記カバー部材の凸部に対応する開口側を塞ぐ閉塞シートと、を有し、カバー部材及び閉塞シートの上部には、両者に貫通する吊下げ用孔が形成されている。
かかるブリスター容器は、商品を収納した包装体の態様で、前記吊下げ用孔を介して吊り下げて陳列される。
【０００３】
ところで、商品が収納されたブリスター容器は、吊下げ時、商品の自重によって下向きに傾き易い。前記のような傾きを防止するため、特許文献１には、上部に第１の吊下げ用穴が形成された台紙と、この第１の吊下げ用穴と間隔を有して連通する第２の吊下げ用穴が形成された支持部とこの支持部に連なって商品を包むカバー部とを有するカバー部材と、を有するブリスター容器（以下、従来例１のブリスター容器という）が開示されている（特許文献１の［００１２］〜［００１５］、及び図１など）。
また、特許文献１には、上部に第１の吊下げ用穴が形成された台紙と、この第１の吊下げ用穴と間隔を有して連通する第２の吊下げ用穴が形成された矩形状の支持部とこの支持部の下方側に平坦状の接合部分を介して設けられたカバー部とを有するカバー部材と、を有するブリスター容器（以下、従来例２のブリスター容器という）が開示されている（特許文献１の［００２０］〜［００２１］、及び図５〜図６など）。
【先行技術文献】
【特許文献】
【０００４】
【特許文献１】特開平９−１４２５３１号公報
【発明の概要】
【発明が解決しようとする課題】
【０００５】
しかしながら、上記従来例１のブリスター容器は、第１の吊下げ用穴及び／又は第２の吊下げ用穴を通じて支持部内に埃や粉塵など（以下、異物という）が入り込み、該異物が支持部に連なったカバー部へと侵入し、収納された商品に異物が付着するという問題点がある。
一方、従来例２のブリスター容器は、支持部とカバー部との間に、平坦状のカバー部材と台紙が接合された接合部分が介在しているので、第１の吊下げ用穴及び／又は第２の吊下げ用穴を通じて支持部内に異物が入り込んでも、その異物がカバー部へと侵入せず、商品に付着しない。しかしながら、かかる従来例２のブリスター容器は、支持部とカバー部の間に平坦状の接合部分が介在しているので、この接合部分において折れ曲がり易い。このため、従来例２のブリスター容器は、吊下げ時に、前記接合部分において湾曲し、商品が下向きに傾き易い。
【０００６】
本発明の目的は、吊下げ時に下向きに傾き難く、さらに、商品に異物が付着することを防止できるブリスター容器を提供することである。
【課題を解決するための手段】
【０００７】
本発明のブリスター容器は、凸部が突設され且つ前記凸部の上方に第１吊下げ用孔が形成されたカバー部材と、前記凸部に対応する開口側を閉塞し、且つ前記第１吊下げ用孔に対して空隙部を有して向かい合う第２吊下げ用孔が形成された閉塞シートと、を有し、前記凸部の内側と閉塞シートの間に、前記空隙部と、前記空隙部に連設された商品収納空間部とが形成されており、前記カバー部材の凸部の内側に、前記空隙部と前記商品収納空間部を仕切る仕切部材が装着されている。
【０００８】
本発明のブリスター容器は、通常、第２吊下げ用孔から空隙部を通過して第１吊下げ用孔へハンガー棒に挿通することによって吊下げられる。カバー部材の凸部に形成された第１吊下げ用孔と閉塞シートに形成された第２吊下げ用孔とは、空隙部を有して向かい合っているので、商品の自重はカバー部材と閉塞シートにそれぞれ掛かる。さらに、カバー部材に形成された凸部と閉塞シートの間に、前記空隙部と、前記空隙部に連設された商品収納空間部とが形成されている。つまり、空隙部と商品収納空間部は、カバー部材に突設された凸部によって形成されているため、空隙部と商品収納空間部の間において、ブリスター容器が湾曲するおそれがない。従って、本発明のブリスター容器は、吊下げ時に傾き難い。
一方、前記商品収納空間部と前記空隙部を仕切る仕切部材が装着されているので、第１吊下げ用孔及び／又は第２吊下げ用孔を通じて異物が空隙部に入っても、この異物が商品収納空間部へ侵入することを防止できる。従って、本発明のブリスター容器は、商品に異物が付着することを防止できる。
【０００９】
本発明の好ましいブリスター容器は、前記仕切部材が、前記商品収納空間部と前記空隙部を仕切る仕切壁と、前記仕切壁の端部に設けられた側壁と、を有し、前記側壁が前記凸部の内面に密着するように、前記仕切部材が前記カバー部材の凸部の内側に嵌め入れられている。
このように仕切部材の側壁がカバー部材の凸部の内側に密着していると、異物が、仕切壁とカバー部材の隙間から商品収納空間部に侵入し難くなり、異物が商品に付着することをより確実に防止できる。さらに、側壁が密着するように仕切部材を嵌め入れるので、仕切部材は、接着剤を使用せずに、密着嵌合によってカバー部材の所定位置に装着できる。
【００１０】
本発明の他の好ましいブリスター容器は、前記仕切部材が、カバー部材の縁部から一体的に延設されている。
このように仕切部材がカバー部材の縁部から一体的に延設されている場合、カバー部材と仕切部材を同時に成形することができる。また、仕切部材をカバー部材に対して折り曲げることにより、仕切部材を容易にカバー部材の凸部の内側に装着できる。
【発明の効果】
【００１１】
本発明のブリスター容器は、商品を収納して吊下げたときに、商品の自重によって下向きに傾くことを確実に防止できる。
さらに、本発明のブリスター容器は、吊下げ用孔から異物が侵入しても、その異物が商品に付着することを防止できる。
【図面の簡単な説明】
【００１２】
【図１】１つの実施形態に係るブリスター包装体（ブリスター容器を含む）の正面図。
【図２】同左側面図。
【図３】同分解斜視図。ただし、仕切部材はカバー部材の凸部に嵌められていない状態で表している。
【図４】図１のＡ−Ａ線断面図。
【図５】図１のＢ−Ｂ線断面図。
【図６】カバー部材の左側面図。ただし、仕切部材はカバー部材の凸部に嵌められていない状態で表している。
【図７】閉塞シートの正面図。
【図８】同ブリスター包装体（ブリスター容器を含む）をハンガー棒に吊り下げた状態の左側面図。
【図９】他の実施形態に係るブリスター容器の参考断面図。
【発明を実施するための形態】
【００１３】
以下、本発明の好ましい実施形態について、図面を参照しつつ具体的に説明する。
ただし、方向を示す用語として、「上」及び「下」は、ブリスター容器を吊り下げた状態を基準とする。また、「内」及び「後」は、閉塞シートが設けられる側を指し、「外」及び「前」は、その反対側を指す。
【００１４】
図１〜図５において、１は、本発明のブリスター包装体を示す。
ブリスター包装体１は、商品２と、商品２を収納したブリスター容器３と、を有する。
ただし、全ての図面において、商品２を二点鎖線で表している。
収納する商品２は、特に限定されない。本発明のブリスター容器３は、化粧品、医薬品、食品、乾電池、おもちゃ、文房具、電子機器類、建築部品などの従来公知の各種商品を収納できる。
【００１５】
ブリスター容器３は、カバー部材４と閉塞シート５とを有する。
カバー部材４は、例えば、合成樹脂製シートから形成されている。前記合成樹脂製シートの材質は特に限定されず、例えば、ポリエチレン、ポリプロピレンなどのポリオレフィンなどが挙げられる。前記カバー部材４は、透明性に優れたシートを用いることが好ましいが、透明性が損なわれない範囲で、着色されていてもよい。また、カバー部材４の外面又は内面の一部には、所望の印刷が施されていてもよいし、或いは、表示ラベルが貼付されていてもよい。
【００１６】
カバー部材４には、外側へ突出した凸部６が形成されている。カバー部材４の凸部６の周囲には、平坦状のフランジ部４１が形成されている。換言すると、カバー部材４は、平坦状のフランジ部４１と、前記フランジ部４１で囲われる範囲内において、外側へ突設された凸部６と、を有する。かかるカバー部材４は、前記合成樹脂製シートをシート成形することにより得ることができる。
前記フランジ部４１の内面に、閉塞シート５が接合されている。従って、図４に示すように、凸部６に対応する開口４２側は、前記閉塞シート５によって閉塞されている。この凸部６の内側と閉塞シート５の間に、空隙部Ｘと商品収納空間部Ｙがそれぞれ形成されている。
具体的には、凸部６は、閉塞シート５との間に空隙部Ｘを形成しうる第１凸部６１と、閉塞シート５６との間に商品収納空間部Ｙを形成しうる第２凸部６２と、からなる。前記空隙部Ｘは、後述する第１吊下げ用孔９１と第２吊下げ用孔９２の間に、所定の間隔（第１凸部６１の天壁６１５と閉塞シート５の間隔に相当）を保持するための空間部分である。前記商品収納空間部Ｙは、カバー部材４と閉塞シート５の間に、商品２を収納するための空間部分である。
【００１７】
第１凸部６１は、フランジ部４１に対して略直角に立ち上げられた３つの周壁（上壁６１１及び左右側壁６１３，６１４）と、この３つの周壁の端部に連設された天壁６１５と、を有する。第１凸部６１は、下壁を有さず、第１凸部６１の下方内部は、第２凸部６２の内部に連通している。なお、第１凸部６１の天壁６１５は、図２に示すように、フランジ部４１と略平行な板状であることが好ましい。もっとも、第１凸部６１の天壁６１５は、フランジ部４１に対して傾斜板状に形成されていてもよい。また、第１凸部６１の天壁６１５は、円弧板状、ドーム状、その他任意の形状に形成されていてもよい。
【００１８】
第２凸部６２は、フランジ部４１に対して略直角に立ち上げられた４つの周壁（上下壁６２１，６２２及び左右側壁６２３，６２４）と、この４つの周壁に連設された天壁６２５と、を有する。ただし、第２凸部６２の上壁６２１は、第１凸部６１の天壁６１５から立ち上がっており、第２凸部６２の上方内部と第１凸部６１の下方内部は、連通している。第２凸部６２の形状は、収納する商品２の形状に応じて適宜設定される。図示したような円柱状の商品２を収納する場合には、第２凸部６２の天壁６２５は、例えば、円弧板状に形成される。
【００１９】
前記第１凸部６１の天壁６１５の面内（つまり、凸部６の上方の面内）には、第１吊下げ用孔９１が穿設されている。閉塞シート５には、この第１吊下げ用孔９１に空隙部Ｘを有して向かい合う位置に、第２吊下げ用孔９２が穿設されている。この第１吊下げ用孔９１と第２吊下げ用孔９２は、ブリスター容器３を吊り下げる際、ハンガー棒に挿通するための孔である。前記第１吊下げ用孔９１及び第２吊下げ用孔９２のうち、吊下げ時にハンガー棒が接する部分は、フランジ部４１に対して鉛直な方向から見たときに、略一致していることが好ましい。
【００２０】
さらに、カバー部材４の上縁部には、仕切部材７が一体的に延設されている。
この仕切部材７は、連通した空隙部Ｘと商品収納空間部Ｙとの間の空間を分断し、両者を仕切るための部材である。
仕切部材７は、商品収納空間部Ｙと前記空隙部Ｘを仕切る仕切壁７１と、前記仕切壁７１の端部に設けられた側壁７２と、前記仕切壁７１と側壁７２の端部に設けられた上壁７３と、前記上壁７３の一部分に連設され且つカバー部材４の上縁部に連設された架橋部７４と、を有する。この仕切部材７の側壁７２は、仕切壁７１の前端部から立ち上げられた第１側壁７２１と、仕切壁７１の左側端部から立ち上げられた第２側壁７２２と、仕切壁７１の右側端部から立ち上げられた第３側壁７２３と、からなる。
前記仕切部材７は、図６の矢印で示すように、カバー部材４の境界において折り曲げられ、第１凸部６１の内側に嵌め入れられている。前記仕切部材７をカバー部材４との境界において折り曲げ易くするため、架橋部７４とカバー部材４の境界に、折り罫線７５が形成されていてもよい。
【００２１】
仕切部材７を第１凸部６１の内側に嵌め入れた状態において、前記仕切壁７１の前端部は、第１凸部６１の天壁６１５の下方に接し（線接触し）、仕切壁７１の両側端部は、第１凸部６１の左右側壁６１３，６１４の下方に接し（線接触し）、且つ仕切壁７１の後端部７１ａは、閉塞シート５に接している（線接触している）。同状態において、前記仕切部材７の側壁７２は、第１凸部６１の内面に密着している（面接触している）。より詳細には、仕切部材７の第１側壁７２１は、第１凸部６１の天壁６１５の内面に密着し（面接触し）、仕切部材７の第２側壁７２２は、第１凸部６１の左側壁６１３の内面に密着し（面接触し）、仕切部材７の第３側壁７２３は、第１凸部６１の右側壁６１４の内面に密着している（面接触している）。さらに、同状態において、前記仕切部材７の上壁７３は、第１凸部６１の上壁６１１の内面に密着している（面接触している）。
なお、密着（面接触）するとは、仕切部材７の側壁７２などの外面と第１凸部６１の内面の間に異物が侵入しない程度に両者が面で接していることをいう。
前記仕切部材７の側壁７２及び上壁７３は、第１凸部６１の左右側壁６１３，６１４、上壁６１１及び天壁６１５の内面と略一致する大きさ又はこれよりも僅かに大きい相似形に形成されている。かかる仕切部材７を第１凸部６１の内側に嵌め入れた際、仕切部材７の側壁７２及び上壁７３が第１凸部６１の左右側壁などに密着する。このため、仕切壁７１の前端部及び両側端部と第１凸部６１の内面との間から、異物が商品収納空間部Ｙへ侵入することを防止できる。
【００２２】
さらに、仕切部材７の第１側壁７２１の面内には、第３吊下げ用孔９３が形成されている。この第３吊下げ用孔９３は、第１側壁７２１を有する仕切部材７を第１凸部６１の内側に嵌めたとき、第１凸部６１に形成された第１吊下げ用孔９１が塞がれないようにするための孔であって、第１及び第２吊下げ用孔９２と同様に、ハンガー棒に挿通するための孔である。仕切部材７を嵌め入れた状態において、第３吊下げ用孔９３のうち、吊下げ時にハンガー棒が接する部分は、フランジ部４１に対して鉛直な方向から見たときに、第１吊下げ用孔９１と略一致していることが好ましい。
【００２３】
閉塞シート５は、前記カバー部材４の凸部６に対応した開口４２を閉塞するために設けられている。
本実施形態の閉塞シート５は、粘着剤を介して、カバー部材４のフランジ部４１に接着されている。かかる閉塞シート５は、ベースシートと、ベースシートの一面に形成された粘着剤層と、を有する。
ベースシートは、特に限定されず、例えば、厚紙、合成紙、合成樹脂製シートなどの単層シート、及びこれらの積層シート、並びにこれらシートに他の機能層（金属蒸着層など）が積層された積層シートなどが挙げられる。なお、本明細書において、シートとは、一般にフィルムと呼ばれているものを含む意味である。
ベースシートとしては、好ましくは厚紙、厚紙を含む積層シート、合成樹脂製シート、又は、合成樹脂製シートを含む積層シートが用いられる。具体的には、ベースシートは、例えば、厚み０．５ｍｍ〜１．５ｍｍ程度の厚紙若しくはその積層シート、又は、厚み０．４ｍｍ〜０．８ｍｍ程度の合成樹脂製シート若しくはその積層シートが好ましい。
なお、ベースシート２には、通常、商品名、絵柄、商品説明などの意匠印刷が施される。
【００２４】
粘着剤層は、図７に示すように、カバー部材のフランジ部に対応する部分５１に少なくとも設けられていればよい（図７の薄墨塗りで表された部分５１）。さらに、粘着剤層は、カバー部材の凸部に対応する開口側に対応する部分５２にも設けられていてもよい（図７の網掛けで表された部分５２）。開口側に対応する部分に粘着剤層を設けることにより、収納した商品が前記粘着剤層に部分接着される。従って、収納した商品２が閉塞シート５によって接着されるため、商品２の位置ずれを防止できる。かかる位置ずれ防止により、商品２の正面（商品名などが表示されている面）を、カバー部材４を通じて消費者に確実に見せることができる。特に、円柱状のような回転しうる形状の商品２を収納する場合に効果的である。
さらに、粘着剤層は、少なくとも仕切部材の仕切壁の後端部（図４に示す後端部７１ａ）に対応する部分５３に設けられていてもよい（図７の斜線で表された部分５３）。上述のように、仕切部材７の仕切壁７１の後端部７１ａは、閉塞シート５と線接触している。このため、通常、異物は、仕切壁７１の後端部７１ａと閉塞シート５の間から商品収納空間部Ｙへ侵入し難い。しかしながら、平坦状の閉塞シート５は凸部６を有するカバー部材４に比して変形し易いため、仕切壁７１の後端部７１ａと閉塞シート５が単に接しているだけでは、閉塞シート５の変形に伴い、両者間に異物が侵入する隙間が生じ得る。この点、仕切壁７１の後端部７１ａに対応する、閉塞シート５の部分に、粘着剤層が設けられていることにより、仕切壁７１の後端部７１ａと閉塞シート５が接着される。このため、仕切壁７１の後端部７１ａと閉塞シート５の間から商品収納空間部Ｙへ、異物が侵入することを確実に防止できる。
また、粘着剤層は、ベースシートの全面（一面全体）に設けられていてもよい。ベースシートの全面体に粘着剤層が設けられた閉塞シート５も、上記と同様に、カバー部材のフランジ部、商品の一部分、及び仕切部材の仕切壁の後端部にそれぞれ接着し得る。さらに、ベースシートの全面に粘着剤層を設け且つこの粘着剤層上の所定範囲に隠蔽層を設けてもよい。隠蔽層は、粘着剤の粘着力を隠蔽するための層である。隠蔽層は、例えば、粘着剤層の一面の所定範囲に、印刷インキの塗工又はフィルムの貼り付けなどを行うことにより形成できる。隠蔽層が設けられた所定範囲は、粘着剤が露出しなくなる。隠蔽層を設ける所定範囲は、粘着剤を露出させる範囲に応じて適宜設定されるものであって、例えば、図７に示す斜線で表された部分以外（すなわち、図７の白地の部分）が好ましい。
【００２５】
粘着剤層は、ベースシートの所定部分に粘着剤を塗工することによって形成される。前記粘着剤は特に限定されず、例えば、常温で粘着性を示す感圧型粘着剤、常温で粘着性を示さず且つ加熱することによって粘着性を発揮する感熱型粘着剤などが挙げられる。
【００２６】
上記ブリスター容器３は、次にようにして使用される。
すなわち、仕切部材７が装着されたカバー部材４の開口４２から第２凸部６２の内側に、商品２を入れた後、閉塞シート５で前記開口４２を塞ぐことによって、ブリスター容器３の商品収納空間部Ｙに商品２が収納されたブリスター包装体１が得られる。
前記ブリスター包装体１（ブリスター容器３）は、図８に示すように、第２吊下げ用孔９２から空隙部Ｘを通過して第３吊下げ用孔９３及び第１吊下げ用孔９１へハンガー棒Ｚに挿通することによって吊下げられる。第１吊下げ用孔９１と第２吊下げ用孔９２は、空隙部Ｘを有して向かい合っているので、商品２の自重は間隔を有したカバー部材４と閉塞シート５にそれぞれ掛かる。このため、収納された商品２の自重によって、ブリスター容器３が下向きに傾くことを防止できる。
さらに、前記空隙部Ｘと商品収納空間部Ｙは、カバー部材４から突設された凸部６によって形成されているため、空隙部Ｘと商品収納空間部の間において、ブリスター容器３が湾曲するおそれがない。
【００２７】
また、前記商品収納空間部Ｙと前記空隙部Ｘを仕切る仕切部材７が装着されているので、第１吊下げ用孔９１及び／又は第２吊下げ用孔９２を通じて異物が空隙部Ｘに入っても、この異物が商品収納空間部Ｙへ侵入することを防止できる。従って、ブリスター容器３の商品収納空間部Ｙに収納された商品２に、異物が付着することを防止できる。
【００２８】
なお、上記実施形態では、仕切部材７はカバー部材４と一体的に形成されているが、仕切部材７とカバー部材４は、別体であってもよい。もっとも、仕切部材７とカバー部材４が一体的に形成されていると、両者を同時にシート成形することができ、さらに、仕切部材７を所定位置で折り曲げるだけでカバー部材４の凸部６の内側に装着できるので好ましい。
【００２９】
また、上記実施形態では、仕切部材７は、仕切壁７１と側壁７２と上壁７３とを有するが、仕切部材７は少なくとも仕切壁７１を有していればよい。空隙部Ｘと商品収納空間部Ｙを仕切壁７１で仕切ることにより、空隙部Ｘに入った異物が、商品収納空間部Ｙに侵入することを防止できるからである。もっとも、仕切部材７は、上記仕切壁７１と、仕切壁７１の端部から立ち上げられた上記側壁７２と、を少なくとも有することが好ましい。前記側壁７２が仕切壁７１に設けられている仕切部材７は、側壁７２が凸部６の内面に面接触するので、接着剤を用いなくても仕切壁７１（仕切部材７）を所定位置に装着でき、さらに、仕切壁７１の端部と凸部６の内面の間に異物が入り込む隙間が発生することも確実に防止できる。
【００３０】
また、上記実施形態では、仕切部材７の側壁７２が第１凸部６１の内面に密着するように仕切部材７が装着されているが、これに代えて、仕切部材７の側壁７２が第２凸部６２の内面に密着するように仕切部材７が装着されていてもよい。
【００３１】
さらに、上記実施形態では、閉塞シート５は、粘着剤を介してカバー部材４のフランジ部４１に接着されているが、例えば、閉塞シート５は、熱溶着によってカバー部材４のフランジ部４１に接着されていてもよい。もっとも、閉塞シート５は、粘着剤を介して接着されていることが好ましい。仕切部材７がカバー部材４と一体的に形成されている場合、仕切部材７とカバー部材４を連結する架橋部７４が、カバー部材４のフランジ部４１と閉塞シート５の間に介在するため（図４参照）、架橋部７４の厚みに相当する段差が、フランジ部４１に生じる。粘着剤は前記段差部分に入り込み易いので、粘着剤を介して閉塞シート５を接着すれば、閉塞シート５とフランジ部４１の間に隙間が生じ難くなるので好ましい。
【００３２】
さらに、上記実施形態では、閉塞シート５は、粘着剤などを介してカバー部材４のフランジ部４１に接着されているが、閉塞シート５は、接着せずにカバー部材４に設けられていてもよい。かかる変形例のブリスター容器３としては、例えば、図９に示すように、フランジ部４１の縁部からヘアピン状に折れ曲がって延設された鍔部４５が形成されたカバー部材４を用い、前記フランジ部４１と鍔部４５の間に、閉塞シート５が差し入れられた態様などが挙げられる。
【産業上の利用可能性】
【００３３】
本発明のブリスター容器は、各種商品の包装容器として利用できる。ブリスター容器に商品が収納されたブリスター包装体は、ハンガー棒に吊り下げて陳列販売できる。
【符号の説明】
【００３４】
１…ブリスター包装体、２…商品、３…ブリスター容器、４…カバー部材、４２…カバー部材の開口、５…閉塞シート、６…カバー部材の凸部、６１…第１凸部、６２…第２凸部、７…仕切部材、７１…仕切壁、７２…側壁、９１…第１吊下げ用孔、９２…第２吊下げ用孔、９３…第３吊下げ用孔、Ｘ…空隙部、Ｙ…商品収納空間部
【図１】
2010265018.tif 000003
【図２】
2010265018.tif 000004
【図３】
2010265018.tif 000005
【図４】
2010265018.tif 000006
【図５】
2010265018.tif 000007
【図６】
2010265018.tif 000008
【図７】
2010265018.tif 000009
【図８】
2010265018.tif 000010
【図９】
2010265018.tif 000011